(57)【要約】【課題】メッセージ送信により患者の薬服用周期を管理可能な薬品保管装置を提供する。【解決手段】本発明は薬品保管装置に係り、さらに詳しくは、薬品保管機能と薬服用時間の報知機能と周期的な服用が必要な患者の薬服用有無をネットワークを介して外部の管理者が管理可能な薬品保管装置に関する。本発明によるＳＭＳ(ショートメッセージサービス)送信により患者の薬服用周期を管理可能な薬品保管装置は、電源を供給する電源部１１０と、服用時間と保管装置の内部温度及び湿度とをディスプレイするディスプレイ部（ビデオ部１９２）と、服用時間を周期別に音声案内するオーディオ部１９１と、服用時間を周期別に設定して前記オーディオ部１９１またはディスプレイ部（ビデオ部１９２）に時間を出力するタイマー１６０と、ドアのオープン信号を服用信号としてオープン信号がない場合に無線通信網を介して管理者にＳＭＳを送信するＳＭＳ送信モジュール１７０と、全般的な制御を司る制御部１９０とを備えてなる。【選択図】図１
2011036638.tif 000002
【特許請求の範囲】
【請求項１】
医薬品を保管する箱体であり、
薬服用時間と保管装置の内部温度及び湿度とをディスプレイするディスプレイ部と、
薬服用時間を周期別に音声案内するオーディオ部と、
薬服用時間を周期別に設定して前記オーディオ部またはディスプレイ部に前記薬服用時間を出力するタイマーと、
ドアのオープン信号を服用信号として、オープン信号がない場合に無線通信網を介して管理者にメッセージを送信するメッセージ送信モジュールと、
全般的な制御を司る制御部とを備える、メッセージ送信により患者の薬服用周期を管理可能な薬品保管装置。
【請求項２】
前記薬品保管装置は、前記ドアのオープン信号を服用信号として、オープン信号がない場合に、有線通信網を介して管理サーバーに非常信号を伝送する有線通信モジュールをさらに備える、請求項１に記載のメッセージ送信により患者の薬服用周期を管理可能な薬品保管装置。
【請求項３】
前記制御部は、前記ドアのオープン信号がない場合に、前記タイマーに設定された周期にて、前記オーディオ部またはディスプレイ部に、服用報知信号を周期信号に連動して再出力させる、請求項１に記載のメッセージ送信により患者の薬服用周期を管理可能な薬品保管装置。
【請求項４】
前記メッセージ送信モジュール及び有線通信モジュールは、前記周期信号に連動して、既定された回数に見合う分だけ服用報知信号を再出力した場合においても、前記ドアのオープン信号がない場合に、前記管理者及び管理サーバーに、それぞれメッセージ及び非常状態信号を送信する、請求項３に記載のメッセージ送信により患者の薬服用周期を管理可能な薬品保管装置。
【請求項５】
前記薬品保管装置は、隔壁により、温蔵室、冷蔵室及び室温貯蔵室に区画され、前記制御部にそれぞれの温度及び湿度を調節させる、請求項１に記載のメッセージ送信により患者の薬服用周期を管理可能な薬品保管装置。
【請求項６】
前記タイマーは、温蔵室、冷蔵室及び室温貯蔵室のそれぞれに内蔵された薬品の服用時間を設定するように、第１タイマー、第２タイマー及び第３タイマーを備える、請求項５に記載のメッセージ送信により患者の薬服用周期を管理可能な薬品保管装置。
【請求項７】
前記薬品保管装置には、糖尿患者の血糖を自家測定可能な血糖測定器が兼備される、請求項１に記載のメッセージ送信により患者の薬服用周期を管理可能な薬品保管装置。
【請求項８】
前記血糖測定器により自家測定された血糖値は、それぞれ前記メッセージ送信モジュール及び有線通信モジュールを介して、前記管理者及び管理サーバーに伝送される、請求項７に記載のメッセージ送信により患者の薬服用周期を管理可能な薬品保管装置。
【請求項９】
前記薬品保管装置の一方の側面には、患者の応急状況による応急信号を、有線または無線通信網を介して、管理サーバーまたは管理者に送信する応急ボタン部が設けられる、請求項１に記載のメッセージ送信により患者の薬服用周期を管理可能な薬品保管装置。
【発明の詳細な説明】
【技術分野】
【０００１】
本発明は薬品保管装置に係り、さらに詳しくは、薬品保管機能と、薬服用時間の報知機能と、周期的な服用が必要な患者の薬服用有無を、ネットワークを介して、外部の管理者が管理可能な薬品保管装置に関する。
【背景技術】
【０００２】
一般的に、患者の症状や用途に応じて数多くの薬材と器具が使用されており、その種類や使用用途に応じて貯蔵条件が異なる。必ず周期的に薬を服用しなければならない管理対象患者の場合には、薬の服用管理が必要となる。
【０００３】
貯蔵条件の例を挙げると、冷蔵と温蔵用のドリンク類がある。漢方薬材の場合に、液状に抽出されてパックに充填され、冷蔵貯蔵（４℃〜８℃）であり、加熱使用である。キサラタン点眼液（２℃〜８℃保管）やアンドリオール軟質カプセル（２℃〜３℃保管）またはジノフロル（Gynoflor）膣錠（４℃〜８℃保管）などは冷蔵保管が要求される。デクロール点眼液やオキュクロラム（Ocuchloram）点眼液などの眼薬は１０℃以下の保管が要求される。関節炎治療剤であるセロクセン（SEROXEN）錠や高脂血症治療剤であるラソルビン軟質カプセル、ウィルス性疾患治療剤であるドンファチミディカプセルなどは、乾冷暗所保管が要求される。
【０００４】
このように薬品の種類に応じて温蔵、冷蔵や室温保管のように異なるが、従来の薬品保管装置は、温蔵庫、冷蔵庫、または室温保管箱がそれぞれ別々に使用されてきた。
【０００５】
このような問題点を克服するために、実用新案登録第２０−０３３５３７０号公報（特許文献１）には、室温貯蔵室、冷蔵室、温蔵室及び紫外線消毒室が一体化された薬品保管装置が開示されている。
【０００６】
しかしながら、実用新案登録第２０−０３３５３７０号公報に開示された薬品保管装置は、薬品の種類及び保管条件に応じて種々に活用可能であるというメリットはあるが、薬品保管機能以外の付加的な効果を奏さず、薬品保管装置の限界を示している。すなわち、患者の薬服用時間などの拡大的な機能に制限的にならざるを得ない薬品保管装置を開示している。
【０００７】
さらに、最近には、患者の遠隔医療システムが備えられており、且つ、ネットワークの発達とあいまって、患者の薬服用時間を知らせる技術が開示されている。
【０００８】
しかしながら、最近のこれらの技術は、患者の薬服用時間及び方法を知らせるだけであり、管理対象患者、例えば、高血圧患者、糖尿病患者または卒中や痴呆患者などが周期的に薬を服用するかどうかに対する、管理対象患者の薬服用有無を管理するシステムが無い状態である。さらに、薬品を保管する装置を用いて管理対象患者の薬服用有無を管理可能な薬品保管装置が開発されていない。
【先行技術文献】
【特許文献】
【０００９】
【特許文献１】実用新案登録第２０−０３３５３７０号公報
【発明の概要】
【発明が解決しようとする課題】
【００１０】
上述した従来の問題点を解決するための本発明の目的は、医薬品の種類の貯蔵条件に応じて保管可能な薬品保管装置を提供するところにある。
【００１１】
また、本発明の他の目的は、薬品保管装置に補助的に血糖を自家測定可能な血糖測定器を兼備させて、糖尿病患者の自家血糖がチェック可能な薬品保管装置を提供するところにある。
【００１２】
さらに、本発明のさらに他の目的は、周期的に服用しなければならない患者を対象として、薬服用時間をオーディオやビデオ信号として出力して、周期的な薬服用が必要な患者に役立つような薬品保管装置を提供するところにある。
【００１３】
さらに、本発明のさらに他の目的は、薬品保管装置のドアのオープン信号を服用有無の判断信号として、遠隔地にある管理者に患者の薬服用有無を知らせて、管理対象患者を遠隔地において管理可能な薬品保管装置を提供するところにある。
【課題を解決するための手段】
【００１４】
上述した課題を解決するために、本発明による、ＳＭＳ送信により患者の薬服用周期を管理可能な薬品保管装置は、電源を供給する電源部と、服用時間、保管装置の内部温度及び湿度をディスプレイするディスプレイ部と、服用時間を周期別に音声案内するオーディオ部と、服用時間を周期別に設定して前記オーディオ部またはディスプレイ部に時間を出力するタイマーと、ドアのオープン信号を服用信号として、オープン信号がない場合に無線通信網を介して管理者にＳＭＳを送信するＳＭＳ送信モジュールと、全般的な制御を司る制御部と、を備えてなる。
【００１５】
ここで、前記薬品保管装置は、前記ドアのオープン信号を服用信号として、オープン信号がない場合に、有線通信網を介して管理サーバーに非常信号を伝送する有線通信モジュールをさらに備えていてもよい。
【００１６】
ここで、前記ドアのオープン信号がない場合に、前記タイマーに既定された周期にて、前記オーディオ部またはディスプレイ部をして、服用報知信号を周期信号に連動して再出力させることが好ましい。
【００１７】
ここで、前記ＳＭＳ送信モジュール及び有線通信モジュールは、前記周期信号に連動されて既定された回数に見合う分だけ服用報知信号を再出力した場合においても前記ドアのオープン信号がない場合に、前記管理者及び管理サーバーにそれぞれＳＭＳ及び非常状態信号を送信することが好ましい。
【００１８】
ここで、前記薬品保管装置は、温蔵室、冷蔵室及び室温貯蔵室に隔壁により区画され、前記制御部をして、それぞれ温度及び湿度を調節させることが好ましい。
【００１９】
ここで、前記タイマーは、温蔵室、冷蔵室及び室温貯蔵室のそれぞれに内蔵された薬品の服用時間を設定するように、第１タイマー、第２タイマー及び第３タイマーを備えることが好ましい。
【００２０】
ここで、前記薬品保管装置は、糖尿患者の血糖を自家測定可能な血糖測定器が兼備されていてもよい。
【００２１】
ここで、前記血糖測定器により自家測定された血糖値は、それぞれ前記ＳＭＳ送信モジュールまたは有線通信モジュールを介して、前記管理者及び管理サーバーに伝送されるように実現可能である。
【００２２】
ここで、前記薬品保管装置の一方の側面には、患者の応急状況による応急信号を、有線または無線通信網を介して、管理サーバーまたは管理者に送信する応急ボタン部が設けられていてもよい。
【発明の効果】
【００２３】
上述した本発明の構成によれば、医薬品の種類の貯蔵条件に応じて保管することができる。薬品保管装置に補助的に血糖を自家測定可能な血糖測定器を兼備させて、糖尿病患者の血糖が自家チェック可能である。周期的に薬を服用しなければならない患者を対象として、薬服用時間をオーディオやビデオ信号として出力して、周期的な薬服用が必要な患者に役立たせることができる。薬品保管装置のドアのオープン信号を服用有無の判断信号として、遠隔地にある管理者に患者の薬服用有無を知らせて、管理対象患者を遠隔地において管理可能な薬品保管装置を提供することが可能になる。
【図面の簡単な説明】
【００２４】
【図１】本発明による薬品保管装置の内部構成図
【図２】本発明による薬品保管装置を用いて、管理サーバーと管理者に、非常信号をＳＭＳまたは有線通信網を介して伝送するシステムを概略的に示す図
【図３】本発明による薬品保管装置を用いて、管理サーバーと管理者に、応急状況が発生時に応急信号をＳＭＳまたは有線通信網を介して伝送するシステムを概略的に示す図
【図４】本発明による薬品保管装置を用いて、管理サーバーと管理者に、血糖測定値をＳＭＳまたは有線通信網を介して伝送するシステムを概略的に示す図
【発明を実施するための形態】
【００２５】
以下、添付図面に基づき、本発明によるメッセージ送信により、患者の薬服用周期を管理可能な薬品保管装置（以下、「薬品保管装置」と称する。）の構成及び作用効果を説明する。
【００２６】
本発明において使用された「メッセージ」という用語は、一般的に、ショートメッセージサービス（ＳＭＳ）、ロングメッセージサービス（ＬＭＳ）、マルチメディアメッセージサービス（ＭＭＳ）を含む概念であり、以下の実施形態においては、ＳＭＳ送信を基準として説明される。同様に、特許請求の範囲に記載の「メッセージ送信モジュール」は、ＳＭＳの場合にはＳＭＳ送信モジュールとして、ＬＭＳの場合にはＬＭＳ送信モジュールとして、ＭＭＳの場合にはＭＭＳ送信モジュールとして説明される。
【００２７】
図１は、本発明による薬品保管装置の内部構成図である。
【００２８】
図１に示すように、本発明による薬品保管装置は、電源部１１０と、温蔵室１２０、冷蔵室１３０及び室温貯蔵室１４０からなる薬品保管箱１００と、血糖測定器１５０と、タイマー１６０と、ＳＭＳ送信モジュール１７０と、有線通信モジュール１８０と、制御部１９０と、オーディオ部１９１及びビデオ部１９２と、貯蔵部１９３と、を備えてなる。
【００２９】
薬品保管箱１００は、温蔵室１２０、冷蔵室１３０及び室温貯蔵室１４０に区画され、それぞれの貯蔵室の間には熱伝達がなされないように断熱材の隔壁により隔離可能である。また、それぞれの貯蔵室には独立したドアが備えられると共に、それぞれの貯蔵室には区画された棚により引出式の貯蔵室が上下または左右に形成可能である。
【００３０】
温蔵室１２０、冷蔵室１３０及び室温貯蔵室１４０の温度及び湿度は、制御部１９０によりそれぞれ別々に設定可能であり、それぞれ別々に電源を印加することも可能である。それぞれの貯蔵室のドアには、ドアオープン時の信号を感知可能なオープン感知センサー（図２における２３１〜２３３）が取り付けられる。
【００３１】
血糖測定器１５０は患者が自家測定可能な血糖測定器であり、好ましくは、検査ストリップが接続されるストリップ接続部と、活性電極及び非活性電極を有する血糖測定部と、血糖測定部において測定されたアナログ値をデジタル信号に変換するアナログ−デジタル変換器と、血糖を測定するマイクロプロセッサーと、有線あるいは無線通信網を介して血糖値を送信する通信部と、を備えてなる。このような有線あるいは無線通信網を介して血糖値を伝送可能な血糖測定器は公知の技術であり、以下ではその詳細な説明を省く。
【００３２】
タイマー１６０は、温蔵室１２０設定用の第１タイマー１６０ａ、冷蔵室１３０設定用の第２タイマー１６０ｂ及び室温貯蔵室１４０設定用の第３タイマー１６０ｃから構成されていてもよい。
【００３３】
第１ないし第３のタイマー１６０ａ〜１６０ｃには、それぞれの貯蔵室１２０〜１４０に貯蔵されている医薬品の服用時間が設定される。また、服用時間を基準として、所定の時間が経過時に、反復的に服用時間を報知できるように、服用報知信号の再出力のための周期値が設定される。
【００３４】
貯蔵部１９３には薬品保管装置の運用プログラムが貯蔵され、ＳＭＳ送信モジュール１７０及び有線通信モジュール１８０を介して遠隔地の管理サーバーまたは管理者に伝送されるメッセージが、テーブル化されて貯蔵される。
【００３５】
ＳＭＳ送信モジュール１７０及び有線通信モジュール１８０は、遠隔地の管理サーバーまたは管理者に貯蔵部１９３にあるメッセージを、タイマー１６０と連動して制御部１９０により伝送するための無線あるいは有線通信部である。
【００３６】
制御部１９０は薬品保管装置の全般的な制御を行なうメインコントローラである。電源部１１０は電源を通電させるためのものである。オーディオ部１９１は薬服用時間を音声にて知らせたりアラームを伝達する通常のスピーカーである。ビデオ部１９２は薬服用時間、それぞれの貯蔵室の温度及び湿度、現在の時間などをディスプレイする液晶ディスプレイ（ＬＣＤ）部である。
【００３７】
このような構成を有する本発明の薬品保管装置を用いた服用報知信号、非常信号及び応急信号を伝送する構成を、図１から図４に基づいて説明する。
【００３８】
先ず、本発明において引用するそれぞれの信号を定義する。
【００３９】
ドアオープン信号は、それぞれの貯蔵室１２０〜１４０に取り付けられたドアが開かれるときにオープン感知センサー２３１〜２３３により感知された信号を意味する。ドアオープン信号は患者が定まった時間に薬を服用したかどうかを、遠隔地において推察可能な信号として適用される。
【００４０】
服用報知信号は、薬品保管装置において、患者に直接的に薬服用時間になった旨を知らせる信号である。
【００４１】
非常信号は、患者が薬を定まった時間に服用しなかったときに、遠隔地の管理サーバー及び管理者に伝送される信号である。非常信号は、ドアオープン信号を基準として、タイマーに設定された周期により数回に亘って反復的に服用報知信号を送出したものの、ドアが継続的に開かれなかったときに発せられる信号である。この信号を受信した管理サーバーや管理者は、患者が薬を定まった時間に服用しなかった旨の、事後管理可能な信号として活用される。
【００４２】
応急信号は、薬品保管装置の所定の位置に設けられた応急ボタン部を押すことにより、患者が応急事態であるという旨を、遠隔地の管理サーバーや管理者に知らせる信号として活用される。
【００４３】
図１を参照すると、服用報知信号は、それぞれの貯蔵室１２０〜１４０に貯蔵された薬品の服用時間値を、第１ないし第３のタイマー１６０ａ〜１６０ｃに設定し、設定された値に基づいて制御部１９０を介して貯蔵部１９３に貯蔵されたメッセージをオーディオ部１９１及びビデオ部１９２を介して、薬品保管装置と近距離にある患者や患者家族に薬服用時間を知らせる。この信号に基づいて、患者は定まった時間に薬を服用することが可能になる。
【００４４】
図２は、本発明による薬品保管装置を用いて、管理サーバーと管理者に非常信号をＳＭＳまたは有線通信網を介して伝送するシステムを概略的に示す図である。
【００４５】
服用報知信号を発信したものの、当該薬品貯蔵室が開かれなかったときに、オープン感知センサー２３１〜２３３は既定された周期に従って服用報知信号を反復的に発信することになる。
【００４６】
このとき、反復的に発信される服用報知信号によっても当該薬品貯蔵室が開かれなかった旨をオープン感知センサー２３１〜２３３が感知すると、制御部１９０はＳＭＳ送信モジュール１７０、すなわち、ＲＪ−４５インターネット連結部１７１やアナログモデム１７２を用いて管理サーバー２１０に非常信号を伝送し、管理サーバー２１０は管理者２２０にこの信号を再伝送して、管理対象患者の危急状況をチェックすることになる。また、制御部１９０は有線通信モジュール１８０、すなわち、ＣＤＭＡ、ＨＳＤＰＡ１８１、ＷｉＦｉモジュール１８２を介して、管理者２２０に直接的に非常信号を伝送して、管理者２２０に管理対象患者の危急状況をチェックさせる。
【００４７】
管理サーバー２１０としては、中央政府の医療関連部署、地方自治体の医療関連部署または私設医療関連会社などが挙げられ、管理者２２０としては、専担病院や社会福祉士または親戚関係にある者が挙げられる。
【００４８】
図３は、本発明による薬品保管装置を用いて、管理サーバーと管理者に、応急状況が発生したときに、応急信号をＳＭＳまたは有線通信網を介して伝送するシステムを概略的に示す図である。
【００４９】
患者に応急事態が発生したとき、患者または周りの家族が、薬品保管装置の所定の位置に設けられた応急ボタン部２４０を押すと、制御部１９０はＳＭＳ送信モジュール１７０、すなわち、ＲＪ−４５インターネット連結部１７１やアナログモデム１７２を用いて管理サーバー２１０に非常信号を伝送し、管理サーバー２１０は管理者２２０にこの信号を再伝送して、管理者２２０に管理対象患者の危急状況をチェックさせて事後措置を行わせる。または、制御部１９０は有線通信モジュール１８０、すなわち、ＣＤＭＡ、ＨＳＤＰＡ１８１、ＷｉＦｉモジュール１８２を介して、管理者２２０に直接的に非常信号を伝送して、管理者２２０に管理対象患者の危急状況をチェックさせて事後措置を行わせる。
【００５０】
図４は、本発明による薬品保管装置を用いて、管理サーバーと管理者に血糖測定値を、ＳＭＳまたは有線通信網を介して伝送するシステムを概略的に示す図である。
【００５１】
血糖測定器１５０は患者が自家測定可能な血糖測定器であり、検査ストリップが接続されるストリップ接続部と、活性電極及び非活性電極を有する血糖測定部と、血糖測定部において測定されたアナログ値をデジタル信号に変換するアナログ−デジタル変換器と、血糖を測定するマイクロプロセッサーと、有線あるいは無線通信網を介して血糖値を送信する通信部と、を備えてなる。
【００５２】
このような血糖測定器１５０により患者が自家測定を行うと、測定された血糖値は、制御部１９０によりＳＭＳ送信モジュール１７０、すなわち、ＲＪ−４５インターネット連結部１７１やアナログモデム１７２を介して管理サーバー２１０に患者履歴と一緒に伝送される。管理サーバー２１０は管理者２２０にこのデータを再伝送して、管理者２２０に管理対象患者の危急状況をチェックさせて事後措置を行わせる。または、制御部１９０により有線通信モジュール１８０、すなわち、ＣＤＭＡ、ＨＳＤＰＡ１８１、ＷｉＦｉモジュール１８２を介して、管理者２２０に直接的に患者履歴と一緒に測定血糖値を伝送して、管理者２２０に管理対象患者の危急状況をチェックさせて事後措置を行わせる。
【００５３】
ここでは、管理サーバー２１０としては、中央政府または地方自治団体の医療関連部署が挙げられ、管理者２２０としては、専担病院が挙げられる。
【００５４】
以上、添付図面に基づき、本発明の好適な実施形態について説明したが、上述した本発明の技術的な構成は本発明が属する技術分野における当業者が本発明のその技術的な思想や必須的特徴を変更することなく、他の具体的な形態にて実施可能であるということを理解できるであろう。よって、上述した実施形態はあらゆる面において例示的なものに過ぎず、限定的ではないものとして理解さるべきであり、本発明の範囲は前記詳細な説明よりは特許請求の範囲によって開示され、特許請求の範囲の意味及び範囲、並びにその等価概念から導き出されるあらゆる変更または変形された形態が本発明の範囲に含まれるものと解釈さるべきである。
【符号の説明】
【００５５】
１００           薬品保管箱
１１０           電源部
１２０           温蔵室
１３０           冷蔵室
１４０           室温貯蔵室
１５０           血糖測定器
１６０           タイマー
１６０ａ       タイマー
１６０ｂ       タイマー
１６０ｃ       タイマー
１７０           送信モジュール
１７１           インターネット連結部
１７２           アナログモデム
１８０           有線通信モジュール
１８１           ＣＤＭＡ，ＨＳＤＰＡ
１８２           モジュール
１９０           制御部
１９１           オーディオ部
１９２           ビデオ部
１９３           貯蔵部
２１０           管理サーバー
２２０           管理者
２４０           応急ボタン部
【図１】
2011036638.tif 000003
【図２】
2011036638.tif 000004
【図３】
2011036638.tif 000005
【図４】
2011036638.tif 000006